(57)【要約】      （修正有）【課題】操作対象の情報操作と移動体の運転操作とを両立させる操作装置を提供する。【解決手段】操作装置は、操作者が保持する移動体のステアリングのステアリング本体部３１に備わり、複数の操作対象毎に対応する部分を有する操作領域１１aを備える操作部１１と、操作領域１１aの基準部分ｒ１へ操作者の指を位置決めする位置決め部１８と、を備える。位置決め部１８が、操作部１１の操作領域１１aが存在する面側に設置され、基準部分ｒ１が、位置決め部１８に触れている指の長さに応じた位置に設定され、かつ、操作者の操作者特性に応じて操作領域１１ａで可変に設定される。【選択図】図５
2020074149.tif 000002
【特許請求の範囲】
【請求項１】
操作者が保持する移動体のステアリングに備わり、複数の操作対象毎に対応する部分を有する操作領域を備える操作部と、
前記操作領域の基準部分へ前記操作者の指を位置決めする位置決め部と、
を備え、
前記位置決め部が、前記操作部の操作領域が存在する面側に設置され、
前記基準部分が、前記位置決め部に触れている指の長さに応じた位置に設定され、かつ、前記操作者の操作者特性に応じて前記操作領域で可変に設定されることを特徴とする操作装置。
【請求項２】
前記操作者特性は、前記操作者の指の長さであることを特徴とする請求項１に記載の操作装置。
【請求項３】
前記基準部分が、前記位置決め部に位置決めされた前記操作者の指の可動域内に、前記操作者特性に応じて可変に設定されることを特徴とする請求項１または請求項２に記載の操作装置。
【請求項４】
前記位置決め部により前記操作者の指が導かれる前記操作領域の部分に、前記基準部分とは異なる第２基準部分が設定されることを特徴とする請求項１から請求項３のいずれか１項に記載の操作装置。
【請求項５】
前記操作者の行動を推測した結果に基づき、前記操作対象を決定する行動推測部をさらに備えることを特徴とする請求項１から請求項４のいずれか１項に記載の操作装置。
【請求項６】
前記行動推測部が決定した複数の前記操作対象のうち前記操作者に対して最も推奨度の高い推奨情報を、前記基準部分に対応させることを特徴とする請求項５に記載の操作装置。
【請求項７】
前記基準部分に対して、前記操作者の第１接触パターンを検知すると、前記複数の操作対象を、前記第１接触パターンに基づく出力形態に変更することを特徴とする請求項１から６のいずれか１項に記載の操作装置。
【請求項８】
前記操作領域は、前記複数の操作対象毎に対応する前記基準部分に対して、前記操作者の第２接触パターンを検知することにより前記基準部分に対応する操作対象を選択したと認識する認識部をさらに備えることを特徴とする請求項１から７のいずれか１項に記載の操作装置。
【請求項９】
複数の操作対象毎に対応する部分を有する操作領域を備える操作手段が設置されたステアリング本体部と、
前記操作領域の基準部分へ、移動体の操作者の指を位置決めする位置決め手段を有するステアリングホイール部と、
を備え、
前記位置決め手段が、前記操作手段の操作領域が存在する面側に設置され、
前記基準部分が、前記位置決め手段に触れている指の長さに応じた位置に設定され、かつ、前記操作者の操作者特性に応じて前記操作領域で可変に設定されることを特徴とするステアリング。
【請求項１０】
操作者が操作対象を操作するための操作装置の設定方法において、
移動体を操縦する前記操作者の操作者情報を取得する操作者情報取得ステップと、
複数の前記操作対象毎に対応する部分を有する操作領域であって、前記移動体のステアリングを保持する前記操作者の指が届く可動域内に、前記操作領域の基準部分を設定する基準部分設定ステップと、
前記操作者情報に基づき、前記基準部分に対して前記操作対象を決定する操作対象決定ステップと、
を含み、
前記操作装置が、前記基準部分へ前記操作者の指を位置決めする位置決め部を有し、
前記位置決め部が、前記操作領域が存在する面側に設置され、
前記基準部分が、前記位置決め部に触れている指の長さに応じた位置に設定され、かつ、前記操作者の操作者特性に応じて前記操作領域で可変に設定されることを特徴とする操作装置の設定方法。
【請求項１１】
コンピュータに、請求項１０に記載の操作装置の設定方法を実行させることを特徴とする操作装置用プログラム。
【請求項１２】
請求項１１に記載の操作装置用プログラムが前記コンピュータにより読取可能に記録されていることを特徴とする記録媒体。
【発明の詳細な説明】
【技術分野】
【０００１】
本願は、操作装置、ステアリング、操作装置の設定方法、操作装置用プログラム、および、記録媒体の技術分野に属する。
【背景技術】
【０００２】
移動体の一例の車両の運転中に、車両に搭載された電子機器等を操作するための操作装置が開発されている。例えば下記特許文献１には、ステアリングスポーク上に設置され入力操作パネルが、操作指がいずれの方向からマトリクスセンサを操作しているかに基づいて、マトリクスセンサにおける同時に押圧された複数の検出領域のうち最も優先順位の高い検出領域を求め、この検出領域を表す番号を操作制御部に出力する情報操作装置が開示されている。
【先行技術文献】
【特許文献】
【０００３】
【特許文献１】特開２００５−９６５１９号公報
【発明の概要】
【発明が解決しようとする課題】
【０００４】
しかしながら、上記特許文献１に記載されている技術では、操作性の向上のために、複数の検出領域のうち最も優先順位の高い検出領域を操作指がいずれの方向からマトリクスセンサを操作しているかに基づいて求めている。ステアリングを握っての運転操作において、入力操作パネル上の一定の位置に常に指がかかるということは難しく、ステアリングを用いた運転操作と情報操作との両立という点においては技術的な課題があった。
【０００５】
そこで本願は、上記の各問題点に鑑みて為されたもので、その課題の一例は、操作対象の情報操作と移動体の運転操作とを両立させる操作装置等を提供することにある。
【課題を解決するための手段】
【０００６】
上記課題を解決するため、請求項１に記載の発明は、操作者が保持する移動体のステアリングに備わり、複数の操作対象毎に対応する部分を有する操作領域を備える操作部と、前記操作領域の基準部分へ前記操作者の指を位置決めする位置決め部と、を備え、前記位置決め部が、前記操作部の操作領域が存在する面側に設置され、前記基準部分が、前記位置決め部に触れている指の長さに応じた位置に設定され、かつ、前記操作者の操作者特性に応じて前記操作領域で可変に設定されることを特徴とする。
【０００７】
また請求項９に記載の発明は、複数の操作対象毎に対応する部分を有する操作領域を備える操作手段が設置されたステアリング本体部と、前記操作領域の基準部分へ、移動体の操作者の指を位置決めする位置決め手段を有するステアリングホイール部と、を備え、前記位置決め手段が、前記操作手段の操作領域が存在する面側に設置され、前記基準部分が、前記位置決め手段に触れている指の長さに応じた位置に設定され、かつ、前記操作者の操作者特性に応じて前記操作領域で可変に設定されることを特徴とする。
【０００８】
また請求項１０に記載の発明は、操作者が操作対象を操作するための操作装置の設定方法において、移動体を操縦する前記操作者の操作者情報を取得する操作者情報取得ステップと、複数の前記操作対象毎に対応する部分を有する操作領域であって、前記移動体のステアリングを保持する前記操作者の指が届く可動域内に、前記操作領域の基準部分を設定する基準部分設定ステップと、前記操作者情報に基づき、前記基準部分に対して前記操作対象を決定する操作対象決定ステップと、を含み、前記操作装置が、前記基準部分へ前記操作者の指を位置決めする位置決め部を有し、前記位置決め部が、前記操作領域が存在する面側に設置され、前記基準部分が、前記位置決め部に触れている指の長さに応じた位置に設定され、かつ、前記操作者の操作者特性に応じて前記操作領域で可変に設定されることを特徴とする。
【図面の簡単な説明】
【０００９】
【図１】実施形態に係る操作装置の概要構成の一例を示すブロック図である。
【図２】実施例に係る操作装置の概要構成の一例を示すブロック図である。
【図３】実施例に係る操作装置の一例を示す模式図である。
【図４】実施例に係る操作装置における操作領域の基準部分を設定する動作の一例を示すフローチャートである。
【図５】操作領域に設定された基準部分の一例を示す模式図である。
【図６】実施例に係る操作装置における操作対象を操作する動作の一例を示すフローチャートである。
【図７Ａ】操作者の指が触れた軌跡の一例を示す模式図である。
【図７Ｂ】接触パターンの一例を示す模式図である。
【図８Ａ】操作者の指が触れた軌跡の一例を示す模式図である。
【図８Ｂ】接触パターンの一例を示す模式図である。
【図９Ａ】操作者の指が触れた軌跡の一例を示す模式図である。
【図９Ｂ】接触パターンの一例を示す模式図である。
【図１０】操作領域に設定された基準部分の第１変形例を示す模式図である。
【図１１】操作領域に設定された基準部分の第２変形例を示す模式図である。
【図１２】位置決め部の第１変形例を示す模式図である。
【図１３】位置決め部の第２変形例を示す模式図である。
【発明を実施するための形態】
【００１０】
本願を実施するための形態について、図１を用いて説明する。なお図１は、実施形態に係る操作装置の概要構成の一例を示すブロック図である。
【００１１】
図１に示すように、操作対象を操作するための操作装置１０は、操作手段１０ａと、位置決め手段１０ｂと、を備えて構成されている。ここで、操作対象の一例として、空調装置、オーディオ装置、カーナビゲーション装置、電話、インターネット閲覧用のブラウザ、曲目等が挙げられる。
【００１２】
この構成において操作手段１０ａは、操作者が保持する移動体のステアリングに備わり複数の操作対象毎に対応する部分を有する操作領域を備える。ここで、移動体の一例として、車両、自動二輪車、航空機、船舶等が挙げられる。操作者の一例として、移動体の操作者が挙げられる。ステアリングの一例として、車両のステアリングホイール、自動二輪車のハンドルバー、航空機の操縦桿または操縦輪、船舶の操舵輪等が挙げられる。操作領域の一例として、タッチパネル、タッチパッド等の操作面、入力面等が挙げられる。
【００１３】
この構成において位置決め手段１０ｂは、操作領域の基準部分へ操作者の指を位置決めする。ここで、位置決め手段１０ｂの一例として、操作装置１０に設けられた突起や凹み、ステアリングの所定の部分に設けられた凹み、突起、材質の変化等、操作者が位置を感じ取れるものならなんでもよい。操作領域の基準部分の一例として、操作領域に設定された所定の位置座標部分が挙げられる。また、操作領域の基準部分の一例として、突出した部分、触感を変えた部分等物理的に変化させた部分でもよい。
【００１４】
以上説明したように、実施形態に係る操作装置１０によれば、操作者がステアリングを握ったときに、情報操作を行う基準部分へ操作者の指が適正位置に位置決めされるので、操作対象の情報操作と移動体の運転操作とを両立させることができる。
【実施例】
【００１５】
［１．操作装置の構成および機能概要］
次に、上述した実施形態に対応する具体的な実施例について、図２および図３を用いて説明する。なお以下に説明する実施例は、移動体の一例である車両等に取り付けられた操作装置に対して、本願を適用した場合の実施例である。
【００１６】
図２に示すように、実施形態に係る操作装置の一例としての操作装置１０は、操作者からの入力を受け付ける操作部１１（操作手段１０ａの一例）と、操作対象２０を操作するための操作信号を出力する操作信号出力部１２と、操作装置１０を制御するためのプログラム等を記憶する記憶部１３と、操作装置１０の外部との送受信を行う通信部１４と、操作装置１０を制御するシステム制御部１５と、入出力インターフェース部１６と、ステアリングを握る位置を決める位置決め部１８（位置決め手段１０ｂの一例）とを備えている。そして、システム制御部１５と入出力インターフェース部１６とは、システムバス１７を介して接続されている。
【００１７】
操作装置１０は、操作信号出力部１２を介して、空調装置、オーディオ装置、カーナビゲーション装置、電話等の操作対象２０に接続されている。また、操作装置１０は、操作者からの入力に関する情報を処理するコンピュータとして機能する。操作装置１０は、操作部１１で受け付けた操作入力に基づき、操作信号を操作対象２０に出力する。
【００１８】
操作部１１は、例えば、表示機能と位置入力機能を有するタッチパネルである。表示機能の部分は、例えば、液晶表示素子またはＥＬ（Electro Luminescence）素子等によって構成される。位置入力機能の部分は、例えば、静電容量方式、抵抗膜方式等を実現する素子により構成される。そして、操作部１１は、位置入力機能により、操作者の指等が接触または近接した操作部１１の面の位置情報を、所定の分解能の画素単位で取得する。なお、操作部１１は、圧力センサを備えてもよく、操作者の指等が接触または近接した位置の圧力情報を取得するためのタッチパネルやタッチパッドでもよい。
【００１９】
操作信号出力部１２は、各操作対象２０とのインターフェースの機能を有する。操作信号出力部１２は、各操作対象２０と接続され、各操作対象２０に操作信号を出力する。
【００２０】
記憶部１３は、例えば、ハードディスクまたはシリコンディスクドライブ等からなる。記憶部１３は、操作装置１０を制御するための各種プログラム等を記憶したりする。各種プログラムは、オペレーティングシステム等が挙げられる。なお、各種プログラムは、例えば、無線通信網等のネットワークを介して取得されるようにしてもよいし、ＣＤ（Compact Disc）、ＤＶＤ（Digital Versatile Disc）等の記録媒体に記録されてドライブ装置を介して読み込まれるようにしてもよい。
【００２１】
通信部１４は、操作対象２０や、車両の速度、車両の走行位置、車両のギアの状態等の走行に関連する走行関連情報を測定する機器等と通信を制御する。なお、操作装置１０は、通信部１４を介して、操作対象を含む機器に接続している。
【００２２】
システム制御部１５は、例えば、ＣＰＵ（Central Processing Unit）１５ａと、ＲＯＭ（Read Only Memory）１５ｂと、ＲＡＭ（Random Access Memory）１５ｃと、を有する。システム制御部１５は、ＣＰＵ１５ａが、ＲＯＭ１５ｂや、ＲＡＭ１５ｃや、記憶部１３に記憶された各種プログラムを読み出して実行する。例えば、システム制御部１５は、操作部１１で受け付けた入力を判定するプログラムを実行する。
【００２３】
入出力インターフェース部１６は、操作部１１等の各部とシステム制御部１５とのインターフェースである。
【００２４】
位置決め部１８は、図３に示すように、操作部１１において、操作領域１１ａの周辺のステアリングホイール部３２側に形成される。位置決め部１８が、操作領域１１ａの基準部分へ操作者の指を位置決めする。位置決め部１８は、突起により形成されたり、凹みにより形成されたりする。また、位置決め部１８は、材質により手触りを変えることにより形成されてもよい。
【００２５】
また、操作装置１０は、操作部１１に指が触れた時間を測定するために内部時計（図示せず）を有する。
【００２６】
次に、図３に示すように、操作装置１０の操作部１１は、移動体の一例である車両のステアリング３０の表側に取り付けられている。
【００２７】
ステアリング３０は、ステアリングシャフト（図示せず）と接続されたステアリング本体部３１と、車両を運転する操作者が握る部分であり、リング形状を有するステアリングホイール部３２と、を有する。
【００２８】
ステアリング本体部３１には、複数の操作対象２０毎に対応する部分を有する操作領域１１ａを備える操作部１１が設置されている。
【００２９】
図３に示すように、操作部１１は、操作領域１１ａを有する。操作領域１１ａは、タッチパネル、タッチパッド等の操作面、入力面等である。
【００３０】
操作部１１は、ステアリング本体部３１の表側において、中心部からステアリングホイール部３２側に取り付けられている。すなわち、操作者が、位置決め部１８により位置決めされて、ステアリングホイール部３２を握って保持する際、操作者の親指が操作部１１の操作領域に触れることができる位置に操作部１１が設置されている。
【００３１】
次に、図３に示すように、車両には、操作対象２０の一例として、空調装置２１と、カーナビゲーション装置２２、オーディオ装置２３等が設置されている。また、操作対象２０の一例として、操作者の携帯型無線電話機と近距離無線通信規格で接続し、操作者が携帯型無線電話機を受けられるようにするための通信機器（図示せず）も設定されている。これらの操作対象２０は、操作装置１０の操作信号出力部１２および通信部１４と接続している。
【００３２】
空調装置２１は、コンプレッサー（図示せず）、車両内に空調された空気を送風する送風部（図示せず）を有し、車両の内部の温度、湿度を制御する。空調装置２１の吹き出し口２１ａが、車両内に設置されている。
【００３３】
カーナビゲーション装置２２は、タッチパネル等を含む表示部２２ａと、加速度センサやジャイロセンサやＧＰＳ（Global Positioning System）センサ等の各種のセンサと、
ＣＰＵ、ＲＡＭおよびＲＯＭ等を含む処理部、情報を記憶する記憶部と、操作装置１０等の他の機器との通信を行う通信部と、カーナビゲーション装置２２を操作するための操作部と、を有する。なお、カーナビゲーション装置２２は、インターネットに接続でき、表示部２２ａにおいて、インターネットの閲覧ができる構成を有していてもよい。
【００３４】
表示部２２ａの中に、各操作対象に対応したアイコンｉａが表示されている。
【００３５】
オーディオ装置２３は、ＣＤ、ＤＶＤ等の再生、ラジオやテレビの電波を受信して、音をスピーカに出力し、映像をカーナビゲーション装置２２の表示部２２ａに出力する。
【００３６】
［２．操作装置の動作］
次に、実施例に係る操作装置の動作について図４から図９を用い説明する。
【００３７】
（２．１  操作領域の基準部分を設定の動作例）
まず、操作領域の基準部分を設定の動作例について、図４および図５を用い説明する。
【００３８】
図４は、実施例に係る操作装置における操作領域の基準部分を設定する動作の一例を示すフローチャートである。図５は、操作領域に設定された基準部分の一例を示す模式図である。
【００３９】
図４に示すように、操作装置１０は、操作者情報を取得する（ステップＳ１）。具体的には、操作装置１０のシステム制御部１５は、操作者情報と関連付けられたユーザＩＤの入力を受け付けてもよい。システム制御部１５は、ユーザＩＤに基づき、操作者情報として、年齢、性別、身長、手の大きさ、指の長さ、過去の基準部分に関する設定情報、操作者の操作履歴（いつどの操作対象を選択したか等）の操作者特性の操作者情報を、記憶部１３から取得する。
【００４０】
次に、操作装置１０は、基準部分を設定する（ステップＳ２）。具体的には、操作装置１０のシステム制御部１５は、手の大きさ、指の長さ等の操作者の身体特性に基づき、基準部分を設定する。図５に示すように、システム制御部１５は、操作部１１の操作領域１１ａに、第１基準部分ｒ１、第２基準部分ｒ２、および、操作部分ｐを設定する。なお、第１基準部分ｒ１、第２基準部分ｒ２、および、操作部分ｐは、複数の操作対象毎に対応する部分の一例である。
【００４１】
第１基準部分ｒ１、第２基準部分ｒ２、および、操作部分ｐは、操作領域１１ａにおける位置情報、すなわち、操作領域１１ａ内の位置座標により設定される。第１基準部分ｒ１および第２基準部分ｒ２は、操作者がステアリングホイール部３２を握った際に、位置決め部１８にガイドされる所定方向で、操作領域１１ａにおける所定の幅の可動域Ｒ内に設定される。可動域は、操作領域１１ａにおける位置決め部１８にガイドされる領域で、操作者の指の長さ等の操作者特性により決定される。
【００４２】
第１基準部分ｒ１は、例えば、操作者の指の長さに応じて、操作者の親指が届きやすく、最も触れやすい部分に設定される。第２基準部分ｒ２は、例えば、可動域Ｒ内における第１基準部分ｒ１以外の基準部分である。操作部分ｐは、位置決め部１８にガイドされる部分以外に設定される。
【００４３】
第１基準部分ｒ１、第２基準部分ｒ２、および、操作部分ｐの位置や、大きさや、形は、操作者の操作者特性に応じて可変に設定される。指の大きい人の場合、操作対象毎に対応する部分が大きめに設定されたり、部分同士の間隔が広めに設定されてもよい。部分の形状は、円形、四角形、楕円形でもよく、操作者特性の一例として指の形に応じた形状でもよい。
【００４４】
なお、システム制御部１５は、過去の基準部分に関する設定情報に基づき、基準部分を設定してもよい。
【００４５】
システム制御部１５は、複数の前記操作対象毎に対応する部分を有する操作領域であって、前記移動体のステアリングを保持する前記操作者の指が届く可動域内に、前記操作領域の基準部分を設定する基準部分設定手段の一例として機能する。
【００４６】
次に、操作装置１０は、操作者情報に基づき操作対象を決定する（ステップＳ３）。具体的には、システム制御部１５は、操作者情報に基づき、操作者の行動を推測し、操作者が最も選ぶと推測される操作対象を、第１基準部分ｒ１に対応させ、２番目に選ぶと推測される操作対象を、第２基準部分ｒ２に対応させる。
【００４７】
システム制御部１５は、前記操作者情報に基づき、前記基準部分に対して前記操作対象を決定する操作対象決定手段の一例として機能する。
【００４８】
システム制御部１５は、車両が走行している状態および環境により、操作対象を決定してもよい。例えば、車両の位置情報より、海辺を走行しているならば、システム制御部１５は、第１基準部分ｒ１に、海に関する曲目に対応した操作対象を対応させてもよい。渋滞している場合は、システム制御部１５は、第１基準部分ｒ１に、リラックスする曲目に対応した操作対象を対応させてもよい。社内温度が高い場合、システム制御部１５は、第１基準部分ｒ１に、空調装置２１を対応させてもよい。
【００４９】
さらに、システム制御部１５は、車両が走行している状態および環境と、操作者の過去の操作履歴に基づき、第１基準部分ｒ１、第２基準部分ｒ２に対応する操作対象を対応させてもよい。
【００５０】
このように、システム制御部１５は、前記操作者の行動を推測した結果に基づき、前記操作対象を決定する行動推測部の一例として機能する。システム制御部１５は、前記行動推測部が決定した複数の前記操作対象のうち前記操作者に対して最も推奨度の高い推奨情報を、前記基準部分に対応させる機能を有する。
【００５１】
（２．２  操作対象を操作する動作例）
次に、操作対象を操作する動作例について、図６から図９を用いて説明する。
【００５２】
図６は、実施例に係る操作装置における操作対象を操作する動作の一例を示すフローチャートである。図７Ａ、図８Ａ、および図９Ａは、操作者の指が触れた軌跡の一例を示す模式図である。図７Ｂ、図８Ｂ、および図９Ｂは、接触パターンの一例を示す模式図である。
【００５３】
操作者は、車両の運転席に座り、操作者の手が位置決め部１８に接触できるように、ステアリングホイール部３２を握る。操作者は、親指を操作部１１に当て、操作領域１１ａ上を、スライドさせたり、タップしたり、なぞったり等、接触する。
【００５４】
図６に示すように、操作装置１０は、操作部における接触の位置情報を取得する（ステップＳ１０）。具体的には、システム制御部１５は、図７Ａに示すように、操作領域１１ａにおいて、操作者の指により接触された部分のｘ座標およびｙ座標の位置情報を操作領域１１ａから取得する。さらに具体的には、図７Ａに示すように、システム制御部１５は、ある時間における操作者の指が接触している部分の接触領域Ｃのｘ座標およびｙ座標の位置情報を操作部１１から取得する。そして、システム制御部１５は、ある時間間隔で、接触領域Ｃの位置情報を取得することにより、接触領域Ｃの軌跡のｘ座標およびｙ座標の位置情報を取得する。
【００５５】
次に、操作装置１０は、接触パターンを算出する（ステップＳ１１）。具体的には、システム制御部１５は、第１基準部分ｒ１、第２基準部分ｒ２、操作部分ｐ等において、移動量、座標情報、または、時間等に対する接触度合い（接触面積、圧力等）を示す接触パターンを算出する。例えば、図７Ａに示すように、強く押した接触の軌跡の場合、図７Ｂに示すように、横軸に、移動量、座標情報、または、時間を取り、縦軸に、接触度合いの接触パターンが現れる。図８Ａに示すように、軽く押して、数回なぞった接触の軌跡の場合、図８Ｂに示すように、接触パターンが現れる。図９Ａに示すように、始め軽く押して途中で強く押した接触の軌跡の場合、図９Ｂに示すように、接触パターンが現れる。
【００５６】
なお、操作領域１１ａにおいて第１基準部分ｒ１、第２基準部分ｒ２、操作部分ｐのみが入力を受け付けるように設定されている場合、図８Ｂに示すように、接触パターンが途切れる。
【００５７】
次に、操作装置１０は、第１接触パターンか否かを判定する（ステップＳ１２）。例えば、第１基準部分ｒ１、第２基準部分ｒ２、操作部分ｐが軽くなぞるスライド操作され、システム制御部１５は、接触パターンが閾値θ未満の場合、第１接触パターンと判定する。例えば、図８Ａおよび図８Ｂに示すように、接触パターンが閾値θ未満の場合が、第１接触パターンである。
【００５８】
第１接触パターンである場合（ステップＳ１２；ＹＥＳ）、操作装置１０は、第１接触パターンに基づく操作対象を変更する（ステップＳ１３）。具体的には、システム制御部１５は、第１接触パターンに従い（例えば、スライドの移動量や、接触度合いに従い）、図３に示すように、表示部２２ａの操作対象に対応するアイコンｉａの、アクティブの位置を移動させたり、アイコンｉａの表示を移動させたりする。
【００５９】
このように、システム制御部１５は、前記複数の操作対象を、前記第１接触パターンに基づく出力形態に変更するように機能する。
【００６０】
第１接触パターンでない場合（ステップＳ１２；ＮＯ）、操作装置１０は、第２接触パターンか否かを判定する（ステップＳ１４）。例えば、第１基準部分ｒ１、第２基準部分ｒ２、操作部分ｐが強く押され、例えば、図７Ｂ、図９Ｂに示すように、システム制御部１５は、接触パターンが閾値θを越えた場合、第２接触パターンと判定する。
【００６１】
第２接触パターンである場合（ステップＳ１４；ＹＥＳ）、操作装置１０は、操作対象を選択する（ステップＳ１５）。具体的には、システム制御部１５は、接触パターンが閾値θを越えた第１基準部分ｒ１等に対応した操作対象が選択される。システム制御部１５は、操作信号出力部を介して、選択された操作対象が作動させる信号を出力する。
【００６２】
このように、システム制御部１５は、前記操作領域は、前記複数の操作対象毎に対応する前記基準部分に対して、前記操作者の第２接触パターンを検知することにより前記基準部分に対応する操作対象を選択したと認識する認識部の一例として機能する。
【００６３】
以上説明したように、実施例に係る構成によれば、ステアリングを握ったときに、情報操作を行う基準部分ｒ１へ操作者の指が、位置決め部１８により適正位置に位置決めされるので、操作対象の情報操作と移動体の運転操作とを両立させることができる。
【００６４】
基準部分（第１基準部分ｒ１、第２基準部分ｒ２）は、操作者の操作者特性に応じて操作領域で可変に設定される場合、操作者の特性に合わせて、基準部分の位置や、大きさ、数等を可変にできるので、操作対象の情報操作と移動体の運転操作との両立性が向上する。例えば、手の大きさ、指の長さ等の操作者の身体特性に合わせた、位置や大きさの基準部分が設定されたり、操作者の操作履歴等合わせて、操作者がよく触れる部分に基準部分が設定されたりする。
【００６５】
操作者特性は、操作者の指の長である場合、操作領域１１ａにおいて、操作者の指が届きやすい部分に、基準部分を設定できるので、操作対象２０の情報操作と移動体の運転操作との両立性が向上する。
【００６６】
基準部分が、位置決め部に位置決めされた操作者の指の可動域Ｒ内に、操作者の操作者特性に応じて可変に設定される場合、操作者の指が触れやすい部分に基準部分が設定されるので、操作対象２０の情報操作と移動体の運転操作との両立性が向上する。
【００６７】
位置決め部１８により操作者の指が導かれる操作領域１１ａの部分（例えば、可動域Ｒ）に、基準部分とは異なる第２基準部分が設定される場合、複数の基準部分（第１基準部分ｒ１、第２基準部分ｒ２）が設定でき、様々な操作対象に対応できるので、情報操作性が向上する。
【００６８】
操作者の行動を推測した結果に基づき、操作対象２０を決定する行動推測部を備える場合、操作者の行動に合わせた、操作対象を提示できるので、情報操作性が向上する。さらに、情報操作性が向上し、操作対象の選択がしやすくなり、運転に集中できるので、運転操作も向上する。
【００６９】
行動推測部が決定した複数の操作対象２０のうち操作者に対して最も推奨度の高い推奨情報を、基準部分（第１基準部分ｒ１）に対応させる場合、操作者の行動に合わせた、操作対象を提示できるので、情報操作性が向上する。さらに、情報操作性が向上し、操作対象の選択がしやすくなり、運転に集中できるので、運転操作も向上する。
【００７０】
基準部分に対して、操作者の第１接触パターンを検知すると、複数の操作対象２０を、第１接触パターンに基づく出力形態に変更する場合、第１接触パターンに基づき、対応する操作対象２０を変更させることにより、情報操作性が向上し、操作対象の選択がしやすくなり、運転に集中できるので、運転操作も向上する。
【００７１】
操作領域１１ａは、複数の操作対象２０毎に対応する基準部分に対して、操作者の第２接触パターンを検知することにより基準部分に対応する操作対象２０を選択したと認識する認識部をさらに備える場合、接触パターンにより、操作対象２０に対する作用を変えることができるので、情報操作性が向上し、操作対象の選択がしやすくなり、運転に集中できるので、運転操作も向上する。
【００７２】
［３．変形例］
次に、操作領域に設定された基準部分の変形例について図１０および図１１を用いて説明する。
【００７３】
図１０は、操作領域に設定された基準部分の第１変形例を示す模式図である。
【００７４】
図１０に示すように、操作領域１１ａにおいて、第２基準部分ｒ２が複数設定されてもよい。また、第１基準部分ｒ１の大きさが小さく設定されてもよい。また、第１基準部分ｒ１から離れる程、指が届きやすいように、第２基準部分ｒ２の大きさを大きくしてもよい。
【００７５】
図１１は、操作領域に設定された基準部分の第２変形例を示す模式図である。
【００７６】
図１１に示すように、親指の可動軸を中心に可動域Ｒが設定され、この可動域Ｒ内に第２基準部分ｒ２が設定されてもよい。
【００７７】
次に、位置決め部の変形例をについて図１２および図１３を用いて説明する。
【００７８】
図１２は、位置決め部の第１変形例を示す模式図である。図１３は、位置決め部の第２変形例を示す模式図である。
【００７９】
図１２に示すように、ステアリングホイール部３２に、操作領域１１ａの基準部分へ、移動体の操作者の指を位置決めする位置決め部１８Ａが設定されてもよい。例えば、ステアリングホイール部３２に凹みにより形成された位置決め部１８Ａや、材質により手触りを変えた位置決め部１８Ａが設定される。ステアリングホイール部３２だけではなく、操作領域１１aを除く操作部１１にステアリングホイール部３２と同様に凹みにより位置決
め部が形成されてもよい。
【００８０】
図１３に示すように、ステアリングホイール部３２に、位置決め部１８Ｂが設定されてもよい。例えば、ステアリングホイール部３２に突起を有する位置決め部１８Ｂが設定される。突起の数は、１つでも複数でもよい。
【符号の説明】
【００８１】
１０：操作装置
１０ａ：操作手段
１０ｂ：位置決め手段
１１：操作部
１１ａ：操作領域
１５：システム制御部
１８、１８Ａ、１８Ｂ：位置決め部
２０：操作対象
２１：空調装置（操作対象）
２２：カーナビゲーション（操作対象）
２３：オーディオ装置（操作対象）
３０：ステアリング
３１：ステアリング本体部
３２：ステアリングホイール部
ｒ１：第１基準部分（基準部分）
ｒ２：第２基準部分
Ｒ：可動域
【図１】
2020074149.tif 000003
【図２】
2020074149.tif 000004
【図３】
2020074149.tif 000005
【図４】
2020074149.tif 000006
【図５】
2020074149.tif 000007
【図６】
2020074149.tif 000008
【図７Ａ】
2020074149.tif 000009
【図７Ｂ】
2020074149.tif 000010
【図８Ａ】
2020074149.tif 000011
【図８Ｂ】
2020074149.tif 000012
【図９Ａ】
2020074149.tif 000013
【図９Ｂ】
2020074149.tif 000014
【図１０】
2020074149.tif 000015
【図１１】
2020074149.tif 000016
【図１２】
2020074149.tif 000017
【図１３】
2020074149.tif 000018